(57)【要約】【課題】表示輝度の調整を簡易な方法で行うことができる映像再生装置の表示部を提供する。【解決手段】映像再生装置に設けられ、前記映像再生装置が再生した映像を表示しない表示部において、表示用に発光する発光部と、前記発光部に印加するパルス電圧のデューティ比を０％より大きく１００％より小さいデューティ比を含んで可変制御する制御部と、を備え、前記発光部の輝度は前記パルス電圧のデューティ比に応じて変化する構成とする。【選択図】図２
2012095097.tif 000002
【特許請求の範囲】
【請求項１】
映像再生装置に設けられ、前記映像再生装置が再生した映像を表示しない表示部において、表示用に発光する発光部と、前記発光部に印加するパルス電圧のデューティ比を０％より大きく１００％より小さいデューティ比を含んで可変制御する制御部と、を備え、前記発光部の輝度は前記パルス電圧のデューティ比に応じて変化することを特徴とする表示部。
【請求項２】
操作部の操作により設定された輝度に応じて前記制御部は前記デューティ比を可変制御することを特徴とする請求項１に記載の表示部。
【請求項３】
液晶表示装置を備え、前記発光部は前記液晶表示装置のバックライトであることを特徴とする請求項１または請求項２に記載の表示部。
【請求項４】
蛍光表示管ユニットを備え、前記発光部は前記蛍光表示管ユニットの蛍光表示管であることを特徴とする請求項１または請求項２に記載の表示部。
【請求項５】
請求項１〜請求項４のいずれかに記載の表示部を備えたことを特徴とする映像再生装置。
【発明の詳細な説明】
【技術分野】
【０００１】
本発明は、映像再生装置の表示部の輝度調整に関する。
【背景技術】
【０００２】
従来より、テレビ装置、ナビゲーション装置等のモニタ表示部を有する装置には、モニタ表示部の画面の輝度を調整するいわゆるディマー機能が搭載されている。
【０００３】
例えば特許文献１に開示されたナビゲーション装置では、光センサ部で検出された周辺光量に基づき目標モニタ輝度を決定し、決定した目標値と現在のモニタ輝度に基づき減光量を算出し、その減光量データをバックライト制御部に出力する。バックライト制御部は、入力された減光量データに応じたデューティ比を有するＰＷＭ信号を生成し、バックライト部の駆動電圧を制御する。
【０００４】
また、特許文献２に開示されたナビゲーション装置では、データ記憶部に記憶されたディマー調整値をシステム制御部は読み込み、モニタ調整部に対してモニタの調整を行わせる。
【０００５】
また、特許文献３に開示されたテレビ装置では、テレビ画面の輝度をＣＰＵがＢＲＩＧＨＴ制御線を介して制御する。
【先行技術文献】
【特許文献】
【０００６】
【特許文献１】特開２００４−１３３２４８号公報
【特許文献２】特開２００３−１２１１５８号公報
【特許文献３】特開平１０−２３３５３号公報
【発明の概要】
【発明が解決しようとする課題】
【０００７】
ここで、ブルーレイディスク再生装置、ブルーレイディスクレコーダ、ＤＶＤレコーダ等の映像再生装置の本体部には現在時刻やカウンタ等の装置の動作状態等を表示する表示部が備えられる。このような表示部も輝度調整が行えることが望ましいが、上記特許文献１〜３は、ナビゲーション装置、テレビ装置のモニタの輝度を調整するものであり、このような表示部の輝度を調整できるものではなかった。
【０００８】
上記問題点を鑑み、本発明は、表示輝度の調整を簡易な方法で行うことができる映像再生装置の表示部を提供することを目的とする。
【課題を解決するための手段】
【０００９】
上記目的を達成するために本発明は、映像再生装置に設けられ、前記映像再生装置が再生した映像を表示しない表示部において、表示用に発光する発光部と、前記発光部に印加するパルス電圧のデューティ比を０％より大きく１００％より小さいデューティ比を含んで可変制御する制御部と、を備え、前記発光部の輝度は前記パルス電圧のデューティ比に応じて変化する構成とする。
【００１０】
このような構成によれば、映像再生装置に設けられ、映像再生装置が再生した映像を表示しない表示部（例えば、現在時刻やカウンタ等を表示する表示部）において、表示用に発光する発光部に印加するパルス電圧のデューティ比を０％より大きく１００％より小さいデューティ比（例えば、５０％等）を含んで可変制御することで、表示輝度の調整を行うことができる。
【００１１】
また、上記構成において、操作部の操作により設定された輝度に応じて前記制御部は前記デューティ比を可変制御する構成としてもよい。
【００１２】
このような構成によれば、ユーザが操作部を操作することで所望の表示輝度を実現することができ、利便性が高い。
【００１３】
また、上記いずれかの構成において、液晶表示装置を備え、前記発光部は前記液晶表示装置のバックライトである構成としてもよい。
【００１４】
また、上記いずれかの構成において、蛍光表示管ユニットを備え、前記発光部は前記蛍光表示管ユニットの蛍光表示管である構成としてもよい。
【００１５】
また、本発明は、上記いずれかの構成の表示部を備えた映像再生装置とする。
【発明の効果】
【００１６】
本発明によると、映像再生装置の表示部において、表示輝度の調整を簡易な方法で行うことができる。
【図面の簡単な説明】
【００１７】
【図１】本発明の一実施形態に係るブルーレイディスク再生装置の概略構成を示す図である。
【図２】本発明の一実施形態に係るブルーレイディスク再生装置の表示部の構成を示す図である。
【図３】バックライトに印加するパルス電圧を示す図である。
【図４】本発明の別実施形態に係るブルーレイディスク再生装置の表示部の構成を示す図である。
【発明を実施するための形態】
【００１８】
以下に本発明の実施形態を図面を参照して説明する。図１は、本発明の一実施形態に係るブルーレイディスク再生装置の概略構成を示す。
【００１９】
図１に示すブルーレイディスク再生装置１は、光ディスク再生部２と、映像音声デコーダ３と、映像音声出力部４と、操作部５と、リモコン受光部６と、電源部７と、液晶表示装置８と、システムマイコン９と、コンセント１０とを備えている。映像出力部４には外部のテレビ装置（不図示）が接続される。
【００２０】
光ディスク再生部２は、ブルーレイディスクまたはＤＶＤに記録された情報を光ピックアップ（不図示）で読み取り、読み取った情報を２値化、復調並びにエラー訂正して映像音声データを出力する。映像音声デコーダ３は、光ディスク再生部２が出力する映像音声データをデコードし、デコード後の映像音声データを映像音声出力部４を介して外部のテレビ装置（不図示）に出力する。これにより、テレビ装置において映像が表示され、音声が発生する。
【００２１】
操作部５は、各種ハードキーを有し、キー操作に応じた信号をシステムマイコン９に出力する。リモコン受光部６は、外部のリモコン装置１１から操作に応じた赤外線信号を受信し、受信した赤外線信号をリモコンコードに変換してシステムマイコン９に出力する。
【００２２】
電源部７は、プラグに挿されたコンセント１０を介して商用交流電源を供給され、商用交流電源を直流電源に変換して直流電源をシステムマイコン９等の装置各部に供給する（図１の破線部）。
【００２３】
液晶表示装置８は、現在時刻やカウンタ、再生チャプタ等の装置の動作状態等を表示するものであり、表示輝度を調整することが可能となっている。詳細については後述する。
【００２４】
システムマイコン９は、ブルーレイディスク再生装置１を統括的に制御する制御部であり、不図示のＣＰＵ、ＲＡＭ、ＲＯＭ等を有している。
【００２５】
図２は、液晶表示装置８を含んだ表示部１２の構成を示す図である。この表示部１２は、液晶表示部８と、システムマイコン９と、電源部７と、スイッチＳＷと、抵抗Ｒと、を有している。
【００２６】
液晶表示装置８は、ＬＣＤドライバ８ａと、液晶パネル８ｂと、バックライト８ｃとを有している。ＬＣＤドライバ８ａは、ソースドライバおよびゲートドライバ（いずれも不図示）を有する。液晶パネル８ｂは、マトリクス上に配置された複数のＴＦＴ等の画素（不図示）を有し、ブルーレイディスク再生装置１の本体部前面に配される。ＬＣＤドライバ８ａは、システムマイコン９から入力されるクロック信号、データ信号およびアドレス信号に基づき液晶パネル８ｂの各画素を選択しつつ各画素に映像信号を供給し、液晶パネル８ｂを駆動する。
【００２７】
バックライト８ｃは、液晶パネル８ｂの背面に配された複数の直列接続または並列接続された白色ＬＥＤから成る。なお、バックライト８ｃは、ＬＥＤと導光板を用いたエッジライト方式であってもよい。液晶パネル８ｂがバックライト８ｃにより照明されてＬＣＤドライバ８ａにより駆動されることにより、現在時刻やカウンタ等の各種表示がされる。
【００２８】
電源部７の直流電圧である出力電圧はスイッチＳＷを介してバックライト８ｃに印加可能となっており、スイッチＳＷとバックライト８ｃの接続点とグランドとの間に抵抗Ｒが接続される。システムマイコン９は、スイッチＳＷのオンオフ制御を行う。
【００２９】
システムマイコン９は、リモコン装置１１の操作により最大輝度設定がされると、スイッチＳＷのオンを維持する。これにより、バックライト８ｃには電源部７の出力電圧が常時印加され、すなわちデューティ比１００％のパルス電圧が印加される（図３の上段）。
【００３０】
また、システムマイコン９は、リモコン装置１１の操作により最小輝度設定（消灯設定）がされると、スイッチＳＷのオフを維持する。これにより、バックライト８ｃには０Ｖが常時印加され、すなわちデューティ比０％のパルス電圧が印加される（図３の中段）。
【００３１】
また、システムマイコン９は、リモコン装置１１の操作により中間輝度設定がされると、オフ期間とオン期間の合計に対してオン期間を５０％とするスイッチＳＷのオンオフ制御を行う。これにより、バックライト８ｃにはデューティ比５０％のパルス電圧が印加される（図３の下段）。
【００３２】
以上のように、現在時刻や装置の動作状況等を表示する表示部１２においてリモコン装置１１の操作により三段階の表示輝度調整が可能となっている。なお、表示輝度調整の段階は三段階に限らず、さらに段階を増やしてもよい（例えば、パルス電圧のデューティ比を０％、２０％、５０％、８０％、１００％とする等）。
【００３３】
また、リモコン装置１１による手動設定に限らず、ブルーレイディスク再生装置１に外光の照度を検出する照度センサを設け、照度センサが検出する照度に応じてシステムマイコン９が輝度調整を行うようにしてもよい。
【００３４】
また、上記では表示部に液晶表示装置を用いたが、以下説明するよう蛍光表示管を使用するようにしてもよい。図４は、蛍光表示管ユニット１５を含んだ表示部１３の構成を示す図である。この表示部１３はブルーレイディスク再生装置１（図１）に設けられ、システムマイコン９および電源部７は先述の実施形態と同様である。
【００３５】
表示部１３は、システムマイコン９と、ドライバＩＣ１４と、電源部７と、蛍光表示管ユニット１５と、複数のスイッチＳＷ１〜ＳＷｎと、複数の抵抗Ｒ１〜Ｒｎとを有している。
【００３６】
蛍光表示管ユニット１５は、区画化された７つの蛍光表示管を点灯させる組み合わせにより１つの数字を表示するいわゆるセグメント方式の表示装置であり、ブルーレイディスク再生装置１の本体部前面に配される。スイッチＳＷ１〜ＳＷｎおよび抵抗Ｒ１〜Ｒｎは、蛍光表示管ユニット１５が有する蛍光表示管（不図示）の数であるｎ個設けられる。蛍光表示管ユニット１５の各蛍光表示管（不図示）は、各スイッチＳＷ１〜ＳＷｎを介して電源部７の各出力部に接続される。各スイッチＳＷ１〜ＳＷｎと各蛍光表示管（不図示）の接続点とグランドとの間に各抵抗Ｒ１〜Ｒｎが接続される。
【００３７】
ドライバＩＣ１４は、システムマイコン９からの指示により各スイッチＳＷ１〜ＳＷｎをオンオフ制御する。このとき、表示に使用する蛍光表示管に対応するスイッチについては、リモコン装置１１の操作により設定された表示輝度に応じたデューティ比のパルス電圧を蛍光表示管に印加するようオンオフ制御される。表示輝度の設定は例えば先述したように三段階とすればよい。
【００３８】
一方、表示に使用しない蛍光表示管に対応するスイッチについてはオフを維持するよう制御される。これにより、蛍光表示管ユニット１５は現在時刻やカウンタ等を設定された輝度で表示する。なお、本実施形態の場合も先述したように照度センサを用いて自動的に輝度を調整するようにしてもよい。
【００３９】
以上本発明の実施形態について説明したが、本発明の趣旨の範囲内であれば、実施形態は種々変更が可能である。
【００４０】
例えば上記実施形態ではブルーレイディスク再生装置を一例として説明したが、その他にもブルーレイディスクレコーダ、ＤＶＤレコーダ、ＨＤＤレコーダ等の各種映像再生装置の表示部にも本発明を適用できる。
【符号の説明】
【００４１】
１  ブルーレイディスク再生装置
２  光ディスク再生部
３  映像音声デコーダ
４  映像音声出力部
５  操作部
６  リモコン受光部
７  電源部
８  液晶表示装置
８ａ  ＬＣＤドライバ
８ｂ  液晶パネル
８ｃ  バックライト
９  システムマイコン
１０  コンセント
１１  リモコン装置
１２、１３  表示部
１４  ドライバＩＣ
１５  蛍光表示管ユニット
ＳＷ、ＳＷ１〜ＳＷｎ  スイッチ
Ｒ、Ｒ１〜Ｒｎ  抵抗
【図１】
2012095097.tif 000003
【図２】
2012095097.tif 000004
【図３】
2012095097.tif 000005
【図４】
2012095097.tif 000006